(57)【特許請求の範囲】
【請求項１】
給水栓及び手乾燥装置を組み込んだシンク用装備品であって、
前記給水栓は、シンクの洗面器上に突出するように配置される噴出口を備え、前記手乾燥装置は、
手のひらを開いた状態で対向するノズルの間を通過させる場合に、ユーザの左手の前面及び裏面に空気を向けるために噴出口の左手側に取り付けられた対向するペアの左側ノズルと、
手のひらを開いた状態で対向するノズルの間を通過させる場合に、ユーザの右手の前面及び裏面に空気を向けるために噴出口の右手側に取り付けられた対向するペアの右側ノズルと、
を備える装備品。
【請求項２】
対向する前記左側ノズル及び前記右側ノズルは、前記噴出口から離れる方向に延びる、前記装備品のそれぞれの対向する部分に配置される、請求項１に記載の装備品。
【請求項３】
前記装備品のそれぞれの対向する部分に沿って横方向に延びる、複数の前記対向する左側ノズルと、前記装備品のそれぞれの対向する部分に沿って横方向に延びる、複数の前記対向する右側ノズルとを備える、請求項２に記載の装備品。
【請求項４】
前記ノズルは、前記装備品のそれぞれの対向する部分に沿って１列又はそれ以上の列で配置される、請求項２又は３に記載の装備品。
【請求項５】
前記装備品のそれぞれの対向する部分の各々は、供給ダクトを備え、前記装備品の前記部分のそれぞれの前記ノズルは、前記ノズルの前で手のひらを開いた状態に保持する際にユーザの手の幅にわたって延びるように、前記供給ダクトの壁面に沿って軸方向に延び、供給ダクトの各々は、使用時にユーザのそれぞれの親指に近い端部である入口端部において、前記供給ダクトを通って前記ノズルの各々に軸方向空気流を連続的に供給するモータ駆動ファンに接続可能である、請求項２から４のいずれかに記載の装備品。
【請求項６】
前記供給ダクトの断面積は、前記供給ダクトの長さに沿って略一定であり、前記供給ダクトの長さに沿った空気流のノズル出口速度の漸進的な直立化をもたらすようになっており、あるいは、前記供給ダクトの断面積は、前記供給ダクトを通る軸方向流の速度の対応する漸進的な低下を介して、なおノズル出口速度の当該直立化を保証するような方法で変化する、請求項５に記載の装備品。
【請求項７】
前記供給ダクトの断面積は、前記供給ダクトの長さに沿ってテーパー付けされる、請求項５に記載の装備品。
【請求項８】
前記供給ダクトは、略円筒形である、請求項６に記載の装備品。
【請求項９】
前記供給ダクトは、前記手乾燥装置の外側部分を形成し、前記ノズルは、前記供給ダクトの壁面に設けられる、請求項５から８のいずれかに記載の装備品。
【請求項１０】
前記装備品の前記部分及び前記噴出口は全て同じ平面に位置する、請求項２から９のいずれかに記載の装備品。
【請求項１１】
各ノズルは、幅が1mm未満で、前記装備品のそれぞれの前記部分に沿って延びる細長いスリットの形態である、請求項２から１０のいずれかに記載の装備品。
【請求項１２】
請求項１から１０のいずれかに記載の装備品と結合したシンクを備える装置であって、前記装備品は、前記噴出口が前記シンクの洗面器上に突出した状態で前記シンクに取り付けられ、前記装備品上の手乾燥装置ノズルは、ユーザの手を乾燥させるように前記ノズルを通って空気流を送り込むためのモータ駆動ファンの圧力側に流体接続される、装置。
【請求項１３】
前記モータ駆動ファンは、１００ｍ／ｓを超える出口速度でノズルを通って空気流を送り込むように構成される、請求項１２に記載の装置。
【請求項１４】
前記噴出口は、５から１５度の角度で下向きに延びる、請求項１３に記載の装置。
【発明の詳細な説明】
【技術分野】
【０００１】
本発明は、一般的には手乾燥器の分野に関し、詳細には、商業用洗面所等に設けることができるシンクの手乾燥装置に関する。
【背景技術】
【０００２】
洗面所において、洗浄用の１つ又はそれ以上のシンク又は手洗器、及びその後にユーザが手を乾燥させるために使用できる１つ又はそれ以上の別個の壁掛け式手乾燥装置を設けることが一般的である。
【０００３】
図１は、壁掛け式の手乾燥装置１の一種を示しており、手乾燥装置のＤｙｓｏｎ  Ａｉｒｂｌａｄｅ（登録商標）シリーズの一部としてモデル名ＡＢ０１で現在市販されている。手乾燥装置は、モータ駆動ファンを使用して、高圧空気を１ｍｍ幅未満の対向する対の狭いスリット状ノズル２、３から送り出すことで機能する。これは、ユーザの手を対向するノズル２、３の間で手のひらを開いた状態で「突っ込む」ときに、ユーザの手の前後から水を除去する役割を果たす、２つの対向する薄いシート又は「ブレード」の高速空気を生成する。
【０００４】
乾燥空気がそれぞれの空気ダクト３ａを介してノズル３に送給され、該空気ダクト３ａは、手乾燥器１内部にあるモータ駆動ファン（図示せず）の正圧側に接続されている。空気ダクト３ａは、ノズル３の幅にわたって延びるようにノズル付近で平坦になっている。結果的に、ノズル３の後方から空気が送給されるとノズル３の様々な部分に対して同時に効果的に送給され、空気がノズル３から真っ直ぐに流出する。これは図１に示されている。
【０００５】
空気は、同様の方式でダクト３ａに対応する別個のダクト（図示せず）を介して後方ノズル２に送給される。ノズル２は、ユーザの手の甲に追従して波形に湾曲し、すなわち、この意図的な後方ノズルの物理的成形は、空気流がノズル２を通過するときに空気流の「転回」を促し、その結果、空気がユーザの親指及び人差し指の両方に向けて角度が付けられ、また、ユーザの小指に向けて戻されるようになり、乾燥性能が全体として向上する。これも同様に図１に示されている。
【０００６】
一部の洗面所では、手乾燥器はシンクの洗面器の上方にあり、ユーザが手を移動させる必要もなくシンクにて好都合に乾燥させることができると同時に、手から滴る水をシンクの手洗器に集め、既存の排水管を通じて本管排水システムに排出することができるようになる。このような１つの装置が米国特許第５，１９９，１１８号に記載されている。
【先行技術文献】
【特許文献】
【０００７】
【特許文献１】米国特許第５，１９９，１１８号明細書
【発明の概要】
【課題を解決するための手段】
【０００８】
本発明は、シンク又は手洗い器における手乾燥器に関する。
本発明によれば、シンク装備品が提供され、装備品には給水栓及び手乾燥装置が組み込まれており、給水栓は、シンクの洗面器上に突出するように配置された噴出口を備え、手乾燥装置は、
i)手のひらを開いた状態で対向するノズルの間を通過させる場合に、ユーザの左手の前面及び裏面に空気を向けるために噴出口に取り付けられた対向するペアの左側ノズルと、
iｉ)手にひらを開いた状態で対向するノズル間を通過させる場合に、ユーザの右手の前面及び裏面に空気を向けるために噴出口に取り付けられた対向するペアの右側ノズルと、
を備える。
【０００９】
従って、ノズルは、好都合な「両面」手乾燥作用を可能とする。
【００１０】
例えばシンクの対向壁ではなく、装備品に対向するノズルを配置すると、対向するノズルの間の離隔距離を最適にすることができる。このことは、高速手乾燥装置（出口空気速度＞１００ｍ／ｓ）に対して特に好都合である。対向するノズルの間の離隔距離を最適化する能力は、空気流がノズルから流出した後の拡散が空気速度を数ｃｍ程度の距離で劇的に低下させる場合があるので、良好な乾燥性能を得るために重要である。
【００１１】
左側ノズルは噴出口の左側に配置することができ、右側ノズルは噴出口の右側に配置することができるので、噴出口は２つのノズルの間の分割隔壁として機能する、
【００１２】
従って、好都合には、水噴出口は２つの機能を有する。つまり、噴出口は洗浄水を送り、その後、左手を乾燥させる左側ノズル及び同時に右手を乾燥させる右側ノズルの正しい利用を促す、手乾燥装置ノズルの間の隔壁として有効に機能する。
【００１３】
これに関連して、「左側」／「右側」は、使用時にユーザが装備品に対向してシンクの前側に立っている場合、ユーザの左／右である。同様に「左側ノズル」／「右側ノズル」は、通常、ユーザの左手／右手を乾燥させるために使用することが意図されたノズルである。
【００１４】
好ましくは、装備品は、噴出口がノズルの左側セット及び右側セットを二分するように配置され、結果的に各ノズルの間の中央隔壁として機能するが、このことは必須ではない。
【００１５】
左側ノズル及び右側ノズルは、好都合には装備品の噴出口から離れる方向に延びるそれぞれの部分に沿って配置できる。同様に、この対向するペアの左側ノズル及び右側ノズルは、好都合には各々が噴出口から離れる方向に延びる装備品のそれぞれの対向する部分に沿って配置することができる。ノズルを噴出口の壁面に直接ではなく装備品の横方向に延びる部分に配置すると、ノズルをユーザにとってより自然な全幅で配置することができる。装備品の横方向に延びる部分は、噴出口に対して直交して延びる必要はない。
【００１６】
装備品のそれぞれの部分（又は対向する部分）に沿って延びる、複数の左側ノズル（又は複数の対向するペアの左側ノズル）を備えることがでる。同様に、装備品のそれぞれの部分（又は対向する部分）に沿って延びる、複数の右側ノズル（又は複数の対向するペアの右側ノズル）を備えることができる。ノズルは、装備品のそれぞれの部分上に１列又はそれ以上の列で配置することができる。
【００１７】
装備品のそれぞれの部分に沿って横方向に延びる複数のノズルを使用すると、乾燥ジェットの有効幅が広がる。同様の作用は、ノズルが細長い場合、少数のノズル、場合によっては１つのノズルを用いて実現することができる。
【００１８】
装備品の横方向に延びる部分の各々は供給ダクトを備え、装備品のこの部分上のそれぞれのノズルは、ノズルの前側でユーザが手のひらを開いた状態で保持した場合、ユーザの手の幅にわたって広がるように、供給ダクトの壁面に沿って広がる。各々の供給ダクトは、使用時にユーザのそれぞれの親指に最も近い入口端部において、軸方向空気流を、ダクトを通って各々のノズルに連続的に供給するためのモータ駆動ファンの出力側に連通するように構成される。
【００１９】
従って、空気は供給ダクトに沿って軸方向に「内側から外側」に供給される。結果的に、供給ダクトの入口端部に向かうノズル出口速度は大きな軸方向成分を有し、使用時、空気流はユーザの親指及び人差し指に向かって傾く傾向となり、この指の領域を効率的に乾燥させる。このことは、図１の後方の「ホタテ貝のような」ノズル等の「成形した」ノズルを使用する必要があるという不都合及びコストなしに達成される。
【００２０】
ノズル出口速度に対する大きな軸方向成分は、ユーザの親指から離れる方向ではあまり好ましくなく、その代わりに、ここでは、より直立したノズル出口速度が好ましく、ユーザの手の「直角をなす（square-on）」乾燥をもたらすようになっている。これは、供給ダクトの長さに沿って低下するように、供給ダクトに沿って空気流の軸方向速度を制御することで対処され、結果的にノズル出口速度が斬進的に「直立」する。
【００２１】
軸方向速度は、供給ダクトの適切な断面形状を用いて制御される。１つの実施形態において、供給ダクトは、略一定の断面積を有するように構成される（好ましくは、製造を容易にするために円筒形であるが、これは必須ではない）。この場合、供給ダクトを通る軸方向空気流の速度は、ノズルを通る直列的な空気流減少に起因して、ダクトに沿って徐々に低下する。
【００２２】
前述の直立作用を実現するために、供給ダクトに沿って一定の断面積を用いることは必須ではない。別の方法として、供給ダクトを通る軸方向流の速度の対応する斬進的な低下によって、それでもノズル出口速度のこのような直立化を保証するような方法を実行する場合には、断面積を変えることができる。
【００２３】
例えば、供給ダクトは長さに沿ってテーパー付けすることができる。この種の構成において、ノズルを通る直列的な流量減少は、この場合も、供給ダクトを通る軸方向流の速度を低下させる傾向にある。テーパーが逆テーパーである場合、断面積は入口端部から離れる方向に増加するので、テーパーは、供給ダクトに沿った軸方向流速度の更なる低下をもたらすことになり、連続性原理に矛盾しない。
【００２４】
対照的に、順テーパーは、この連続性原理に従って、供給ダクトを通る軸方向流速度を増大させる傾向にある。この場合、軸方向ノズル速度の斬進的な低下は、それでも前述のテーパーの作用が、ノズルの上流（又は、細長いスリットの場合はノズルの上流部）を通る直列的な流量減少による流れ速度の低下を完全に補正しないことを保証することで単純に実現することができる。供給ダクトに沿った軸方向速度の正味低下を保証する限り、他の断面プロフィールを同様に用いることができる。
【００２５】
好ましくは、対向するズルは、ユーザの手の全幅を効率的に乾燥させるためにその全幅にわたって広がる。１つの実施形態において、例えば、各々のノズルは、８０ｍｍから１７０ｍｍの範囲の幅にわたって延びる。必須ではないが、ノズル幅の好ましい範囲は、１３０−１７０ｍｍである（複数の対向するペアのノズルの場合、集合的に各ペアのノズルの全てを横切る幅として計測）。このことは、使用時に、ノズルがユーザの手の大部分にわたって有効に広がることを保証することになる。厳密なノズル幅は、一方ではコンパクトな装備品デザインと、他方では比較的手の大きいユーザに対する装備品の利便性との間のトレードオフとすることができる。従って、好ましい幅は、例えば、国によって又は特定のシンクデザインに応じて様々である。しかしながら、試験によるとノズルの１５０ｍｍ（誤差±１０ｍｍ）の幅仕様は多くの場合で良好な結果をもたらした。
【００２６】
特定の実施形態において、ノズルは、噴出口を通り抜ける空気ダクトによって供給される。ノズルへの空気ダクトが通る噴出口を使用することで、コンパクトな装備品デザインが提供される。この場合、前述の供給ダクトは、噴出口を通り抜ける空気ダクトを経由してモータ駆動ファンに連通し、特に単純な構成において、供給ダクトは、事実上、噴出口を取り抜ける空気ダクトの横方向に延びる分岐部の形態とすることができるので、供給ダクト及び主空気ダクトは一緒になって単一部品を形成する。
【００２７】
装備品の横方向に延びる部分及び噴出口の全ては、実質的に同じ平面に置くことができる。このことは、ユーザが手を洗う際の装備品との干渉を最小にするのに役立つ。
【００２８】
ノズルは、幅が１ｍｍ未満で装備品のそれぞれの部分に沿って広がる細長いスリットの形態とすることができる。
【００２９】
本発明の他の態様によれば、装置が提供され、該装置は、前述の装備品と結合したシンクを備え、装備品は、噴出口がシンクの洗面器上に突出した状態でシンクに取り付けられ、装備品上の手乾燥装置ノズルは、ユーザの手を乾燥させるようにノズルを通って空気流を送り込むためのモータ駆動ファンの圧力側に流体接続さえる。モータ駆動ファンは、１００ｍ／ｓを超える、好ましくは１５０ｍ／ｓから２５０ｍ／ｓの間の出口速度でノズルを通って空気流を送り込むように構成することができる。
【００３０】
噴出口自体は、洗面器上に０から１５度の間の角度で突出するように配置でき、特に、装備品の横方向に延びる部分が噴出口と同じ平面に置かれる場合に、対向するノズルの間に、手のひらを開いた状態で手を「突っ込む」ことを無理なく行える。
【図面の簡単な説明】
【００３１】
【図１】従来の手乾燥装置の斜視図である。
【図２】シンクに取り付けられた装備品を備える装置の斜視図である。
【図３】図２の装置に正面図である。
【図４】図３のラインＡ−Ａに沿った断面図である。
【図５】図４のラインＣ−Ｃに沿った断面図である。
【図６】図２から５に示す装備品の一部の部分拡大斜視図である。
【図７】図２から６に示す装備品を前側から見た図であり、使用中の装備品を示す。
【図８】図６に対応する平面図であるが、装備品の一部を形づくる供給ダクトの１つに関するノズル出口速度プロフィールが追加的に示されている。
【図９】別のテーパー付き供給ダクトの概略図である。
【図１０】シンクの上方で壁に取り付けられた装備品を備える他の装置の斜視図である。
【図１１】別の装置の斜視図であり、装備品の一部を形成する噴出口の外側に沿った空気配管を示す。
【発明を実施するための形態】
【００３２】
図２−５は、従来型シンク１及び装備品２を備える装置の種々の図を示す。シンク１は「ベルファスト型」シンクであるが、一般的にシンクは任意の従来型とすることができる。
【００３３】
装備品２は、シンク１の下部のロックナット４を用いてシンク１に取り付けられ、ロックナットは、中空固定用スタッドの外ネジに係合して装備品２を所定位置にクランプするようになっている（もしくは、装備品２は、シンクの形式によってはシンク自体ではなくシンクの近くに固定することができる）。
【００３４】
装備品２は、シンク１の洗面器の近くに載っている本体８と、該本体８からシンク１の洗面器上に突出する噴出口１０とを有する給水栓を備える。要求に応じて、洗浄水は、主供給ラインから給水パイプ１２を経由して供給され、洗浄水は、本体８及び噴出口１０の内部を流れて、噴出口１０の先端部に設けられた下向きの出口１０ａに至る。
【００３５】
給水栓は、従来型のセンサ及び制御ループを利用して「ハンズフリー」作動するように構成され、洗浄位置のユーザの手を検出して供給ラインのバルブを自動的に開閉するようになっている。もしくは、給水栓は手動操作するように構成することができる。
【００３６】
また、装備品２には手乾燥装置が組み込まれており、手乾燥装置は、空気ダクト１１として本体８及び噴出口１０の内部を利用して、装備品２上の複数の手乾燥装置ノズルに供給する。
【００３７】
手乾燥装置ノズルは、ユーザの左手を乾燥させることを意図した複数の左側乾燥ノズル１４及びユーザの右手を乾燥させることを意図した複数の右側ノズル１６の２つのグループに配置される。図２では明瞭化のためにノズル１４、１６は省略されているが、図６には示されている。
【００３８】
左側ノズル１４は、噴出口１０の左側に設けられている。右側ノズル１６は、噴出口１０の右側に設けられている。
【００３９】
左側ノズル１４は、実質的に空気ダクト１１の一体分岐部を形成する、横方向に延びる（この場合、垂直に延びる）それぞれの供給ダクト１１ａ、１１ｂに沿って、対向するペアとして配置される。同様に、右側ノズル１６は、実質的に空気ダクト１１の一体分岐部を形成する、横方向に延びる（この場合、垂直に延びる）それぞれの供給ダクト１１ｃ、１１ｄに沿って、対向するペアとして配置される。
ノズル１４、１６は、各供給ダクト１ｌａ−１１ｄのそれぞれに沿って２列に配置される。
【００４０】
図６は、それぞれの供給ダクト１１ｃ上のノズル１６の特殊なパターンを示し、一列目２６のノズルは隣接する列２８のノズルに対して横方向にオフセットしている。空気ダクト１１の対向する分岐部１ｌｂ上のノズル１６は、図６に点線で示すものとは反対方向で、横方向にオフセットしているので、対向するペアのノズルは互いに直接向かい合うように配置されない。このことは、ノズル１６から出る対向する空気ジェットの間の衝突を防止することで使用時のノイズを低減するのに役立つ。左側ノズル１４は、空気ダクト１１のそれぞれの分岐部１１ａ、１１ｂ上に同様の方式で配置される。
【００４１】
空気ダクト１１は、フレキシブルホース３２を介してモータ駆動ファンユニット３０の正圧（出口）側に接続され、フレキシブルホース３２は、中空固定用スタッド６を介して本体８の内部と流体接続する（給水パイプ１２が固定用スタッド６を通って延びる場合（空気供給ライン内で有効に）、給水ラインに接続するためにパイプ１２を空気供給ラインの外部に通すための適切な準備を行う必要がある。要求に応じて、空気はファン３０によって空気ダクト１１を通って送り込まれ、ノズル１４、１６の各々を通って流出する。
【００４２】
手乾燥装置は、従来型のセンサ及び制御ループを利用して「ハンズフリー」作動するように構成され、乾燥位置のユーザの手を検出してファンユニット３０を自動的に作動させるようになっている（このことは、給水栓を自動的に作動させる前述の洗浄位置とは区別できる必要がある）。もしくは、手乾燥装置は手動操作するように構成することができる。
使用時、ユーザは、シンク１において洗浄操作及び手乾燥操作の両方を行うことができる。
【００４３】
洗浄操作を開始するために、ユーザは、手を洗うかのように自身の手を出口１０ａの下に置き、センサ及び制御ループは、出口１０ａから水を供給するように作動する。その後、ユーザは、シンク１の洗面器上で従来の方法で自身の手を洗うことができる。
【００４４】
手乾燥操作を開始するために、ユーザは濡れた左手を（手のひらを開いた状態で）噴出口１０の左側のノズル１４の対向するペアの間に突っ込み、同時に濡れた右手を（手のひらを開いた状態で）噴出口１０の右側のノズル１６の対向するペアの間に突っ込む。その後、センサ及び制御ループが作動してファン３０を起動し、高運動量の空気流をユーザの手の前面を及び裏面にそれぞれ向ける対向するノズル１４、１６から高圧空気を送り出す。次に、ユーザは、手を乾燥させるために、各スロットの間で手のひらを開いた状態で略「垂直方向」に１回又はそれ以上通過させ、高運動量の空気流がユーザの手の表面から水を取り除く。左手３４及び右手３６を突っ込む一般的な動作が図７に示されており（噴出口１０に沿う軸方向に前側から見た図である）、同時に、噴出口１０が適正な使用を促す手３４、３６の間の中央分割隔壁として如何に機能するかが示されている。
【００４５】
側部分岐ダクト１ｌａ−１１ｄは、ユーザに向かって５−１５度の範囲、好ましくは１０度である角度θ（図４）で下向きに延びる噴出口１０と概ね同じ平面に位置する。従って、ユーザは対向するノズルの間に垂直方向に手を突っ込むのではなく、手の入射角はユーザに向かって傾いており、突っ込み動作を無理なく行うことができる。
【００４６】
手から追いやられた廃水は、シンク１の洗面器に適宜集められ、シンク１のための従来型の配管システムを通って本管に排水される。
【００４７】
図８は、上方から装備品２を下向きに見た図であり、供給ダクト１１ｃに沿ったノズル出口速度プロフィールを示す（残りの供給ダクト１ｌａ、１ｌｂ、１１ｄの出口速度プロフィールの実例にもなる）。
【００４８】
出口速度プロフィールは、高い軸方向ダクト速度Ｖ1に起因する、供給ダクト１１ｃの入口端部１２近くのノズル出口速度Ｕ1に対する大きな軸方向成分によって特徴付けされる。このことは、空気流を親指及び人差し指に向かって傾けて、手のこの領域を効率的に乾燥させるのを助ける。
【００４９】
分岐ダクト１１ｃの入口端部から離れると、上流ノズルを通る直列的な流量減少及びダクト１１ｃの一様な断面積の組み合わせに起因して、軸方向ダクト速度は斬進的に低下する。結果的に、分岐ダクトの長さに沿ってノズル出口速度は斬進的に直立になる（図８には途中のノズル出口速度が概略的にのみ示されている）。
【００５０】
例えば、分岐ダクト１１ｃのまさに端部近くでは、軸方向ダクト速度Ｖ2は相対的に小さく、出口速度Ｕ2は相対的に直立である。軸方向ダクト速度が分岐ダクト１１ａ−１１ｄの長さに沿って斬進的に直立になることは、親指及び人差し指から離れている、より自然な「直角をなす（ｓｑｕａｒｅ−ｏｎ）」乾燥特性を助長する。
【００５１】
一様な断面積の供給ダクトを使用することは、図８に示す直立作用をもたらすために必須ではないが、円筒形供給ダクトを使用することは製造が容易になるので好ましい。例えば、図９は、テーパー付きダクト１１ｅの使用を示す。ここでは、テーパーは、実際にはノズル１６を通る連続的な流量減少によってもたらされる軸方向の速度低下を補正するので直立作用は顕著ではないが、それでも直立作用はテーパー角が十分に浅いことを保証することで得られ、ダクトに沿った軸方向速度の正味低下が依然として存在する。換言すると、ノズル１６を通る連続的な流量減少は、軸方向速度Ｖ2を決定する支配的要因である。
【００５２】
図１０は壁掛け式装置を示し、装備品２０００はシンク１の後方の壁面に取り付けられている。装備品２０００は、対向するペアの左側ノズル１４００（この場合、使用時にユーザの手の幅に広がるペアの細長いスリット）、及び対向するペアの右側ノズル１６００（同様に、ペアの細長いスリットの形態である）によって、「両面」乾燥を可能にするように構成される。
【００５３】
左側ノズル１４００は噴出口１０００の左側に設けられるが、右側ノズル１６００は噴出口１０００の右側に設けられる。従って、噴出口１０００は、ノズル１４００、１６００の間の中央の分割隔壁として機能する。
【００５４】
装備品２０００は、従来型の壁面固定具を使用して壁面に取り付けることができる。ノズル用の主空気供給ダクトは、噴出口を通り抜ける必要はなく、例えば、図２の構成において、噴出口  １０に対して横並びの関係で延在する別個の空気ダクトを代わりに設けることができる。これは図１１に示されている（１つの空気ダクト１１ｆだけが見える）。それでも同様に噴出口１０は左側ノズルと右側ノズルとの間の分割隔壁として機能する。
【図１】
0005916167.tif 000002
【図２】
0005916167.tif 000003
【図３】
0005916167.tif 000004
【図４】
0005916167.tif 000005
【図５】
0005916167.tif 000006
【図６】
0005916167.tif 000007
【図７】
0005916167.tif 000008
【図８】
0005916167.tif 000009
【図９】
0005916167.tif 000010
【図１０】
0005916167.tif 000011
【図１１】
0005916167.tif 000012